(57)【要約】【課題】    ドキュメントシュレッダー装置の用紙圧縮装置で、用紙圧縮率のばらつきを小さくし圧縮用紙塊を安定して生成する。【解決手段】  圧縮室の断面形状を四角を含む多角形とし、圧縮用紙塊の圧縮部回転による連れ回りを防止し、圧縮室内壁との摩擦抵抗のばらつきを小さくすることで安定した圧縮を実現する。【選択図】      図１
2006314983.tif 000002
【特許請求の範囲】
【請求項１】
機密情報漏洩防止の為に廃棄書類を細かく破砕しその内容を読めなくするドキュメントシュレッダー装置の圧縮圧調整機構を有する紙圧縮装置において、用紙片を圧縮し適度な圧縮率の塊を排出するための圧縮室は断面が四角形を含む多角形で、圧縮された用紙片の塊が圧縮室内部で回転しないようにしたことを特徴とするドキュメントシュレッダー装置用紙圧縮装置。
【請求項２】
紙圧縮装置の圧縮室の内壁にはかぎ状の逆流防止突起部があり、圧縮室内部で圧縮され塊となった圧縮用紙塊が圧縮部側に逆流しないようにしたことを特徴とする特許請求項１記載のドキュメントシュレッダー装置用紙圧縮装置。
【請求項３】
圧縮室には内部の空気を外に吸い出す為の吸引ファンが取付けられ、その風圧により用紙圧縮部への用紙片の供給が円滑に行われることを特徴とする請求項１及び請求項２記載のドキュメントシュレッダー装置用紙圧縮装置。
【発明の詳細な説明】
【技術分野】
【０００１】    本発明は機密保持の目的で廃棄する書類を細かく破砕しその内容を読めなくした状態で廃棄するためのドキュメントシュレッダー装置において、用紙の繊維を切断せずに長く保持し破砕された紙を再度用紙として再生できるようにしたドキュメントシュレッダー装置の用紙片圧縮装置に関するものである。
【背景技術】
【０００２】  従来型の紙圧縮機構として既に特願２００４−３８２２７７、特願２００４−３８２２７８等が提案され廃棄用紙を完全な塊として固形化する方法は既に基本的部分ではその有用性が確認されている。本発明はその実用及び製品化を目指すものである。
【発明の開示】
【発明が解決しようとする課題】
【０００３】  本発明は、従来技術の圧縮室の摩擦抵抗変動で発生する圧縮用紙塊の圧縮不足や過剰圧縮の紙詰まり・異音・構成部品の磨耗破損等の発生を防止し、安価で安定した紙圧縮装置を目指すものである。
【課題を解決するための手段】
【０００４】  圧縮室断面形状を四角形又はその他の多角形にし、圧縮部の回転により圧力室圧縮塊が圧縮室で回転しないようにする。【０００５】  圧縮室内で圧縮用紙塊が逆流しないよう圧縮室内面に逆流防止突起を設け、圧縮用紙塊が圧縮室開閉扉のスプリングの弾性力により短時間で逆流したり、または圧縮用紙塊の長期放置時にその弾性復帰力でゆっくりした逆流が起こり、圧縮部またはその稼動部に大きな負荷圧がかからないようにする。
【発明の効果】
【０００６】  本発明によれば圧縮室内断面は四角又はその他の多角形であるため、圧縮用紙塊は圧縮室内で圧縮部の回転により回転することがなくなり、その結果圧縮不足のまま排出される圧縮用紙塊が無くなるため、安定した用紙圧縮が可能となる。【０００７】  圧縮室内壁に圧縮用紙逆流防止突起を付加することより圧縮室内で圧縮用紙塊が逆流することを防止し圧縮部のへの変動負荷を減少させると共に、突起が圧縮用紙塊の移動の際適度で安定した抵抗となるため、小型で単純な機構で安定した用紙片圧縮が可能となる。【０００８】  圧縮室が四角形状である為、用紙片を圧縮部に導くための吸引ファンの取付けが容易となり、またその収納性も高まり装置全体が小型化できる。
【発明を実施するための最良の形態】
【０００９】  本発明の請求項１に対応した実施の形態について図１、図２（１図の矢視Ａ）及び図３（図２の矢視Ｂ）を参照し説明する。
破砕された用紙片１５はファン６の吸引力で圧縮室の方へ導かれ、ローラーが回転する圧縮部３に送られる。【００１０】  圧縮部３では用紙片１５をローラーで踏み潰し圧縮し、適度な勾配を持つ圧縮室固定板１２と圧縮室開閉扉１とで構成される断面が四角形の圧力室に用紙片１５を送り込む。圧縮室開閉扉１は支点２で可動であり通常は引張スプリング１１により小さな開口部で閉じた状態になっている。【００１１】  圧縮室に用紙片１５がある程度溜まって塊状になってくると、勾配を持つ圧縮室内壁との摩擦が増大しその抵抗により圧縮用紙塊５はより圧縮室内部で圧縮される。圧縮用紙塊５が充分に圧縮されると圧縮室の内圧も上昇し、その圧力で圧縮室開閉扉１を押し開き充分に固まった圧縮用紙塊５が圧縮室外部に排出される。【００１２】  特許請求項２に対応する実施の形態を図１、図２及び図３を参照し説明する。
圧縮室開閉扉１及び圧縮室固定板１２の内壁には圧縮用紙塊５の逆流防止の為の逆流防止突起１３が取付けられている。【００１３】  圧縮用紙塊５は常に圧力室開閉扉１の引張スプリング１１及び圧縮用紙塊自身の復帰弾力により逆流方向に力受けていて、逆流防止突起１３は圧縮用紙塊５が逆流しようとするとその突起が圧縮用紙塊５の表面に突き刺さり、圧縮用紙塊５の逆流は最小限に食い止められる。【００１４】  特許請求３項に対応する実施の形態を図１、図２及び図３を参照し説明する。
圧縮室固定板１２の一部には穴７がありファン６で圧縮室内部の空気が外部に吸い出されている。ファン６は圧縮室形状が四角形で平坦な面である為取付けが簡単で収納性も高くなる。【００１５】  ファン６の吸引力により用紙片１５は効率的に圧縮部３に送り込まれ、大量の用紙片圧縮処理が短時間で可能となる。
【実施例】
【００１６】  本発明の実施例を図１、図２、図３を参照し説明する。
用紙片１５を圧縮し固形化するための圧縮室は左右２枚の圧縮室開閉扉１と上下２枚の圧縮室固定板１２とて構成され、その断面は四角形となっている。【００１７】  圧力室開閉扉１は支点２を中心に開閉動作が可能でありその先端には引張スプリング１１を引っかける為のフック１０が取付けられていて、通常は引張スプリング１１の力で先端は閉じていて出口に向かい適度な勾配が設定されている。【００１８】  上下２箇所に設けられる圧縮室固定板１２は圧力室開閉扉１同様に出口に向かって適度な勾配が設けられ、大きな内圧に耐えられるようそれぞれファンベース９及び圧縮室補強板１４により堅固に固定されている。ファンベース９は穴８以外は密閉状態でありファン６の吸引力を穴８、穴７を通じて圧力室全体に及ぼすようになっている。【００１９】  圧縮室開閉扉１及び圧縮室固定板１２の内壁にはリブ状の逆流防止突起１３が設置され、逆流防止突起１３は細かい楔状の突起が出口の方向に傾いて取付けられたもので、圧縮用紙塊が出口方向に進む時は抵抗が少なく逆流しようとすると楔が圧縮用紙塊５に突き刺さり大きな抵抗となるようにしてある。【００２０】  破砕された用紙片１５が圧縮部３の動力軸４と供に回転するコンベアーに乗って圧縮部３の近傍まで運ばれると、ファン６の吸引力によって回転する圧縮部３のローラーに用紙片１５を運び、圧縮部３では用紙片１５をローラーで踏み固めて圧縮する。【００２１】  圧縮室内には圧縮部３から送られてくる破砕用紙片１５で次第に満たされてくる。圧縮室内がある程度用紙片でいっぱいになると用紙片は移動の際に圧縮室内壁と摩擦しその抵抗で用紙片はより圧縮されやがて固形化し圧縮用紙塊５となる。【００２２】  圧縮用紙塊５がさらに圧縮されると圧縮部３のローラーにも大きな負荷トルク力が加わり、圧縮用紙塊全体が圧縮部３の回転方向に連れ回りしようとするが、圧縮室の断面形状が四角形である為連れ回りは起こらず、その結果圧縮用紙塊と圧縮室内壁とには適度な摩擦が常に保たれ安定した圧縮が可能となる。【００２３】  圧縮用紙塊５が十分に圧縮され圧縮室の内圧が高まるとその力は圧縮室開閉扉１を通じて引張スプリング１１に作用し、その結果圧縮室開閉扉１は両側に開いてくる。圧縮室開閉扉１がある程度開くと圧縮用紙塊との摩擦力が急激に下がるため圧縮用紙塊５は自らの復帰弾力で圧縮室内面を滑り出口の方向に押し出されて来る。【００２４】  圧縮用紙塊５が圧縮室内壁をある程度滑ると圧縮用紙塊５の弾力は開放され圧縮室の内圧は急激に下がり、圧縮用紙塊５の動きは停止し再度適度に圧縮されるまで動かなくなる。【００２５】    圧縮用紙塊には紙の復帰弾力があり常に圧縮用紙塊５を圧縮部３の方向に戻そうとし、その為しばしば圧縮部３に大きな力が加わり、結果動力軸４に大きな負荷トルクが発生したりまた圧縮部のローラーを著しく損傷させる原因となる。【００２６】  逆流防止突起１３は圧縮用紙塊５の逆流による圧力を最小限に抑え、また圧縮用紙塊５との摩擦を適度に安定化させる効果があり、圧縮用紙塊５は低摩擦状態の圧縮不足や高摩擦状態での紙詰り・異音・部品破損・部品磨耗等の問題が無くなり安定した圧縮が実現する。また逆流防止突起１３はリブ状で間隔を持��て取り付けられる為、圧縮室と圧縮用紙塊５には常に適度な隙間が形成され、ファン６の吸引力が常に破砕用紙片１５に及ぶようになっている。
【図面の簡単な説明】
【図１】本発明による実施例（中央断面）の図である。
【図２】図１の側面図（矢視Ａ）である。
【図３】図２の側面図（矢視Ｂ）である。
【符号の説明】
１．  圧縮室開閉扉
２．  支点
３．  圧縮部
４．  動力軸
５．  圧縮用紙塊
６．  ファン
７．８．  穴
９．  ファンベース
１０．フック
１１．引張スプリング
１２．圧縮室固定板
１３．逆流防止突起
１４．圧縮室補強板
１５．破砕用紙片
【図１】
2006314983.tif 000003
【図２】
2006314983.tif 000004
【図３】
2006314983.tif 000005